(57)【要約】【課題】複数系統の映像コンテンツをマルチ画面表示する際、適切な高画質化処理を適用可能な表示制御装置を提供する。【解決手段】制御部１３は、第１合成部１８で複数系統の映像コンテンツの合成処理を行う場合は、合成した映像コンテンツを高画質化処理部２１で高画質化し、第２合成部２２では合成を行わないように第１及び第２合成部１８，２２を制御する。また、制御部１３は、第１合成部１８で複数系統の映像コンテンツの合成処理を行わない場合は、複数系統の映像コンテンツの一方を高画質化処理部２１で高画質化し、第２合成部２２で複数系統の映像コンテンツの他方と合成を行うように第１及び第２合成部１８，２２を制御する【選択図】図１
2011030026.tif 000002
【特許請求の範囲】
【請求項１】
入力される複数系統の映像コンテンツを、マルチ画面表示の形態に応じて合成して１系統の第１合成映像コンテンツとして出力するか、前記複数系統の映像コンテンツのまま出力するかを切り替え可能な第１合成手段と、
前記第１合成手段で前記第１合成映像コンテンツが出力される場合には前記第１合成映像コンテンツに対して、前記第１合成手段で前記複数系統の映像コンテンツが出力される場合には前記複数系統の映像コンテンツの１系統の映像コンテンツに対して、高画質化処理を適用し、高画質化映像コンテンツとして出力する高画質化手段と、
前記高画質化映像コンテンツをそのまま出力するか、前記高画質化映像コンテンツと前記第１合成手段で出力された前記複数系統の映像コンテンツのうち前記高画質化処理が適用されていない系統の映像コンテンツとを前記マルチ画面表示の形態に応じて合成して１系統の第２合成映像コンテンツとして出力するかを切り替え可能な第２合成手段と、
前記第２合成手段で出力された、前記高画質化映像コンテンツ又は前記第２合成映像コンテンツを、表示装置へ出力する出力手段と、
前記第１合成手段及び前記第２合成手段の動作を切り替える制御手段とを有し、
前記制御手段は、前記第１合成手段を前記第１合成映像コンテンツを出力する状態に切り替える場合には、前記第２合成手段を前記高画質化映像コンテンツを出力する状態に切り替え、前記第１合成手段を前記複数系統の映像コンテンツを出力する状態に切り替える場合には、前記第２合成手段を前記第２合成映像コンテンツを出力する状態に切り替えることを特徴とする表示制御装置。
【請求項２】
さらに、前記マルチ画面表示の形態の設定を取得する取得手段を有し、
前記制御手段は、前記取得手段により取得された前記マルチ画面表示の形態の設定が、前記複数系統の映像コンテンツの表示画面が重なり合わずにマルチ画面表示される形態の設定である場合は、前記第１合成手段を前記第１合成映像コンテンツを出力する状態に切り替え、前記マルチ画面表示の形態の設定が、前記複数系統の映像コンテンツの表示画面が重なり合ってマルチ画面表示される形態の設定である場合は、前記第１合成手段を前記複数系統の映像コンテンツを出力する状態に切り替えることを特徴とする請求項１記載の表示制御装置。
【請求項３】
前記第１合成手段で出力される前記複数系統の映像コンテンツのうち、前記高画質化処理が適用されない系統の映像コンテンツを遅延させ、前記高画質化映像コンテンツと前記高画質化処理が適用されない系統の映像コンテンツとを同期させて前記第２合成手段に入力するための遅延手段をさらに有することを特徴とする請求項請求項１又は請求項２に記載の表示制御装置。
【請求項４】
前記第１合成手段と前記第２合成手段とが、異なる集積回路に含まれることを特徴とする請求項１乃至請求項３のいずれか１項に記載の表示制御装置。
【請求項５】
入力される複数系統の映像コンテンツを、マルチ画面表示の形態に応じて合成して１系統の第１合成映像コンテンツとして出力するか、前記複数系統の映像コンテンツのまま出力するかを切り替え可能な第１合成手段と、
前記第１合成手段で前記第１合成映像コンテンツが出力される場合には前記第１合成映像コンテンツに対して、前記第１合成手段で前記複数系統の映像コンテンツが出力される場合には前記複数系統の映像コンテンツの１系統の映像コンテンツに対して、高画質化処理を適用し、高画質化映像コンテンツとして出力する高画質化手段と、
前記高画質化映像コンテンツをそのまま出力するか、前記高画質化映像コンテンツと前記第１合成手段で出力された前記複数系統の映像コンテンツのうち前記高画質化処理が適用されていない系統の映像コンテンツとを前記マルチ画面表示の形態に応じて合成して１系統の第２合成映像コンテンツとして出力するかを切り替え可能な第２合成手段と、
前記第２合成手段で出力された、前記高画質化映像コンテンツ又は前記第２合成映像コンテンツを、表示装置へ出力する出力手段とを有する表示制御装置の制御方法であって、
制御方法が、前記第１合成手段を前記第１合成映像コンテンツを出力する状態に切り替える場合には、前記第２合成手段を前記高画質化映像コンテンツを出力する状態に切り替え、前記第１合成手段を前記複数系統の映像コンテンツを出力する状態に切り替える場合には、前記第２合成手段を前記第２合成映像コンテンツを出力する状態に切り替える制御工程を有することを特徴とする表示制御装置の制御方法。
【発明の詳細な説明】
【技術分野】
【０００１】
本発明は、表示制御装置およびその制御方法に関し、特に、複数系統の映像コンテンツをマルチ画面表示可能な表示制御装置およびその制御方法に関する。
【背景技術】
【０００２】
テレビ等の表示制御装置では、放送信号を受信する入力インタフェースや、ビデオデッキやＤＶＤプレーヤといった蓄積コンテンツの再生装置を接続する入力インタフェースを備え、入力された映像コンテンツの表示を行うことが可能である。また、テレビ等の表示制御装置は、２系統の入力インタフェースから入力された映像コンテンツをマルチ画面表示する機能をもつ表示制御装置も知られている。
【０００３】
２系統の映像コンテンツをマルチ画面表示する方法としては、次のような表示形式がある。例えば、２系統の映像コンテンツの表示画面を並べて表示するピクチャアンドピクチャ表示や、一方の映像コンテンツの表示画面に他方の映像コンテンツの表示画面を含ませて表示するピクチャインピクチャ表示が知られている。
【０００４】
２系統の映像コンテンツをマルチ画面表示可能な表示制御装置は、映像コンテンツを入力解像度と出力解像度とに応じて拡大・縮小する解像度変換機能と、２系統の映像コンテンツを１つの映像コンテンツに合成する合成機能を備える。そして、これらの解像度変換機能と合成機能を２系統の入力映像コンテンツに対して適用することで、２系統の映像コンテンツの２画面表示を実現している（特許文献１参照）。
【０００５】
解像度変換機能は、マルチ画面表示を行う場合だけでない。例えば、標準解像度（ＳＤ：Ｓｔａｎｄａｒｄ  Ｄｅｆｉｎｉｔｉｏｎ）の映像コンテンツを、所謂ハイビジョン（ＨＤ：Ｈｉｇｈ  Ｄｅｆｉｎｉｔｉｏｎ）対応のテレビなど、高解像度表示可能な表示制御装置に表示する際にも用いられる。このように、解像度を上昇させる解像度変換を行う場合、不足する画素を隣接画素のコピーで補間するなどの単純方法を用いると、解像度変換後の画像の画質が劣化する。一方、解像度変換処理は複雑になるが、例えば、バイリニア法やバイキュービック法などの、変換後の画質劣化を抑制可能な画素補間方法を用いて解像度を上昇させることが知られている。
【０００６】
一方、超解像技術と呼ばれる、画質を向上させる技術（高画質化処理技術）も知られている。非特許文献１には、画像の輪郭部分の画素の表現調整を行い、画質の補正や色再現性を高めることで、画像を鮮明化する技術が開示されている。
【先行技術文献】
【特許文献】
【０００７】
【特許文献１】特開２００５―１８４７０５号公報
【非特許文献】
【０００８】
【非特許文献１】築瀬  亮二、外５名、”１枚超解像システムＬＳＩの開発”、［ｏｎｌｉｎｅ］、平成２１年１月、ＮＥＣ技報、［平成２１年５月１３日検索］、インターネット  ＜ＵＲＬ：http://www.nec.co.jp/techrep/ja/journal/g09/n01/090105.pdf＞
【発明の概要】
【発明が解決しようとする課題】
【０００９】
非特許文献１に記載されるような高画質化処理技術を、特許文献１に記載されるような、マルチ画面表示機能を有する表示制御装置に適用することを考える。この場合、高画質化処理を行う回路のコストと、マルチ画面表示機能を有する表示制御装置であっても通常は１系統の映像コンテンツが視聴されるであろうことを考慮すると、１系統の映像コンテンツに高画質化処理可能な回路を使用するのが現実的であろう。
【００１０】
しかし、複数系統の映像コンテンツのマルチ画面表示機能を有する表示制御装置に対し、１系統の映像コンテンツに高画質化処理可能な回路を使用した場合、マルチ画面表示する際に問題が生じる。例えば、一般的なピクチャアンドピクチャ表示では、個々の映像コンテンツの表示解像度が同じであるか、差があっても少ない。そのため、１系統の映像コンテンツにのみ高画質化処理を適用すると、他の映像コンテンツとの画質の違いが目立ち、ユーザに違和感を与える。
【００１１】
一般的なピクチャインピクチャ表示では、複数系統の映像コンテンツの解像度変換を行った後、１つの画像に合成し、合成画像を表示する。この場合、合成画像に高画質化処理を適用することができるが、ピクチャインピクチャ表示用の合成画像に対して高画質化処理を適用すると、２系統の映像コンテンツの合成境界部に画質劣化が生じることがある。特に、１系統の映像コンテンツを単一画面表示している状態から２系統の映像コンテンツをピクチャインピクチャ表示する状態に遷移した場合に画質の劣化が目立つので、ユーザに違和感を与える。これは、主とされる映像コンテンツの一部の領域に別の映像コンテンツが合成されるため、画像中に周波数成分の不連続な部分が含まれ、高画質化処理で行われる画素の補間処理において、補間すべき画素の推定が難しくなるからである。
【００１２】
本発明は、このような従来技術の問題点を鑑みてなされたものであり、複数系統のコンテンツをマルチ画面表示する際、適切な高画質化処理を適用可能な表示制御装置およびその制御方法を提供することを目的とする。
【課題を解決するための手段】
【００１３】
前述の目的を達成するために、本発明の表示制御装置は、以下の構成を備える。
本発明は複数系統の映像コンテンツの入力インタフェースと、前述の解像度変換機能をもつ解像度変換部と、前述の合成機能をもつ合成部と、前述の高画質化処理機能をもつ高画質化処理部と、各映像コンテンツを遅延させて同期させる遅延部と、パネルへの映像コンテンツの出力インタフェースを備える表示制御部を備え、
複数系統の映像コンテンツをマルチ画面表示する用事形態に応じて、前述の解像度変換部と合成部の起動、停止を切り替える制御手段を備えることを特徴とする。
【発明の効果】
【００１４】
このような構成により、本発明によれば、複数系統のコンテンツをマルチ画面表示する際、適切な高画質化処理を適用することができる。
【図面の簡単な説明】
【００１５】
【図１】本発明の実施形態に係る表示制御装置の一例としてのテレビ受像機の機能構成例を示すブロック図。
【図２】本発明の実施形態に係るテレビ受像機における映像コンテンツの表示制御処理を説明するためのフローチャート。
【図３】本発明の実施形態に係るテレビ受像機における２系統の映像コンテンツの同期処理を説明するための図。
【図４】本発明の実施形態に係る画面表示例を示す図。
【図５】本発明の実施形態に係る表示制御装置の一例としてのテレビ受像機の機能構成例をコンテンツ再生部と画像処理部に分けて示すブロック図。
【発明を実施するための形態】
【００１６】
以下、本発明の好適かつ例示的な実施形態について、図面を参照して詳細に説明する。なお、以下に説明する実施形態は、マルチ画面表示可能な表示制御装置の１例としての、２系統の放送コンテンツをマルチ画面表示可能なテレビ受像機に、本発明を適用した例を説明する。しかし、本発明は、２以上の複数系統の映像コンテンツを１つの表示装置にマルチ画面表示させることが可能な任意の機器に適用可能である。また、本明細書において、「複数系統の映像コンテンツ」とは、系統毎に独立した信号で入力されてもよいし、複数の映像コンテンツが多重化された１系統の信号で入力されてもよい。また、映像コンテンツはＤＶＤやビデオレコーダに記録された蓄積映像コンテンツでも、リアルタイムで配信される放送コンテンツでもよい。また、同一の映像コンテンツを複数の画面に並列表示する場合も、複数系統の映像コンテンツのマルチ画面表示として取り扱う。
【００１７】
また、以下の説明において、便宜上、２系統の放送コンテンツの一方を主放送コンテンツ、他方を副放送コンテンツと呼ぶ。さらに、表示装置の有する表示領域において、主放送コンテンツを表示する画面の解像度を主解像度、副放送コンテンツを表示する画面の解像度を副解像度と呼ぶ。
【００１８】
図１に示すように、本実施形態にかかるテレビ受像機１００は、２系統の放送コンテンツを１画面に合成して出力可能な表示制御部１０と、表示制御部１０からの映像を表示する表示パネル３０とを有する。リモートコントローラ２は、ユーザがテレビ受像機１００に指示を与えるための入力機器の一例である。
【００１９】
表示制御部１０において、ユーザ入力受信部１１はリモートコントローラ２から送信されるユーザ指示を受信し、制御部１３に通知する。不揮発性メモリ１２は、テレビ受像機１００の動作に必要な各種設定や、制御部１３が実行するプログラムなどを記憶する。不揮発性メモリ１２が記憶する各種設定としては、例えば視聴チャンネル設定、表示画質設定を始め、複数の映像コンテンツのマルチ画面表示に関する設定が含まれる。マルチ画面表示に関する設定には、主解像度設定、副解像度設定、マルチ画面表示の形態の設定である画面表示設定等が含まれる。
【００２０】
制御部１３は、後述するマルチ画面表示処理を始めとした、テレビ受像機１００全体の動作を制御する。制御部１３は、例えばＣＰＵ、ＲＯＭ、ＲＡＭを有し、ＲＡＭを用いてＲＯＭや不揮発性メモリ１２に記憶されたプログラムを実行して各部を制御することにより、テレビ受像機１００の機能を実現する。
【００２１】
主放送受信部１４及び副放送受信部１５はそれぞれ放送信号を受信し、複数の映像コンテンツが多重化された放送信号１から、視聴チャンネル設定に応じた映像コンテンツを分離、復号し、主放送コンテンツ及び副放送コンテンツとして出力する。制御部１３は、視聴チャンネル設定に変更があると、変更された設定に対応する放送受信部に通知する。通知を受けた放送受信部は、分離するチャンネルを新たな設定に応じて変更するとともに、内部の不揮発性メモリに現在の視聴チャンネル設定を記憶する。また、主放送受信部１４と副放送受信部１５は、分離した映像コンテンツの解像度を判別し、後述する主解像度変換部１６と副解像度変換部１７に復号した放送コンテンツと共に伝送する。主解像度変換部１６は主放送コンテンツの解像度を主解像度に変換し、副解像度変換部１７は副放送コンテンツの解像度を副解像度に変換する。主解像度及び副解像度は、画面表示設定と表示パネル３０の表示解像度とに応じて制御部１３が決定し、主解像度変換部１６及び副解像度変換部１７に供給する。本実施形態では、制御部１３は、画面表示設定が示すマルチ画面表示の形態に応じて予め定められている主解像度及び副解像度を、主解像度変換部１６及び副解像度変換部１７に供給するものとする。
【００２２】
第１合成部１８は、制御部１３の指示に応じて、第１合成起動状態と、第１合成停止状態のいずれかで主放送コンテンツと副放送コンテンツを処理する。具体的には、第１合成部１８は、第１合成起動状態では、画面表示設定が示すマルチ画面表示の形態に応じて主放送コンテンツと副放送コンテンツを合成し、１系統の第１合成映像コンテンツとして出力する。また、第１合成部１８は、第１合成停止状態では、主放送コンテンツと副放送コンテンツを合成せずに、２系統のまま出力する。なお、本明細書において、複数系統のコンテンツのマルチ画面表示とは、複数の映像コンテンツが表示パネル３０の表示領域中で並行して視聴可能な表示形態を意味する。また、それぞれの映像コンテンツが表示される画面（表示領域の一部）は重なりを有していてもよい。
【００２３】
代表的なマルチ画面表示の形態としては、例えば画面が重ならないように複数系統の放送コンテンツを並べて表示するピクチャアンドピクチャ表示や、主放送コンテンツの画面に副放送コンテンツの画面が含まれるピクチャインピクチャ表示がある。図４に、代表的なマルチ画面表示の形態の例を示す。図４（ａ）は、１系統表示（単一画面表示）の例を示しており、図４（ａ）で表示している映像コンテンツを主放送コンテンツとしたときのマルチ画面表示の代表例が図４（ｂ）と図４（ｃ）になる。図４（ｂ）がピクチャアンドピクチャ表示（ＰａｎｄＰ）であり、図４（ｃ）がピクチャインピクチャ表示（ＰｉｎＰ）である。主放送コンテンツの画面の大きさ（主解像度）Ｌ１と副放送コンテンツの画面の大きさ（副解像度）Ｌ２は、一般にピクチャアンドピクチャ表示ではＬ１≧Ｌ２であり、ピクチャインピクチャ表示ではＬ１＞Ｌ２である。また、ピクチャインピクチャ表示では、副放送コンテンツの画面が主放送コンテンツの画面に含まれるため、主放送コンテンツを大きく隠蔽しないよう、Ｌ１とＬ２の差が大きく設定されるのが一般的である。本実施形態では、第１合成部１８から出力される合成映像コンテンツの解像度は、表示パネル３０の表示解像度と同じ解像度であるとする。なお、映像コンテンツ（の画像）及び画面の解像度はいずれも画素数で表され、表示装置の画素の大きさは固定であるため、画面の解像度は画面の大きさをも表す。
【００２４】
高画質化処理部２０は、主放送コンテンツか、第１合成部にて合成された第１合成映像コンテンツのいずれかに予め設定された高画質化処理を適用し、高画質化映像コンテンツを出力する。高画質化処理部２０が適用する高画質化処理は、入力された映像コンテンツの画質を向上させる任意の処理でよい。高画質化処理は例えば、非特許文献１に記載されているような超解像処理や、複数の画像から１枚の高解像度な画像を作り出す処理でよい。ただし、本実施形態では、説明及び理解を容易にするため、高画質化処理部２０に入力される画像と出力される画像とで解像度（画素数）には変化がないものとする。高画質化処理において解像度変換を伴う場合、制御部１３は、高画質化処理における解像度変換を考慮した主解像度及び副解像度を主解像度変換部１６及び副解像度変換部１７に供給する。
【００２５】
遅延部１９は、主放送コンテンツと副放送コンテンツの処理時間の差に応じて副放送コンテンツを遅延させ、主放送コンテンツと副放送コンテンツとを同期させる。本実施形態では、主放送コンテンツにのみ高画質化処理を適用するため、副放送コンテンツよりも主放送コンテンツが遅延することがある。遅延が生じたまま第２合成部２１で合成を行うと、主放送コンテンツと副放送コンテンツとで表示内容に時間のずれが生じ、ユーザに違和感を与えることになる（例えば、時報の表示タイミングがずれてしまう）。
【００２６】
そのため、本実施形態では、遅延部１９により副放送コンテンツを遅延させることにより、主放送コンテンツと同期させる。具体的には、高画質化処理部２０での処理時間は、高画質化処理部２０に入力される映像コンテンツの解像度と表示画質設定によって算出できるので、その処理時間分、副放送コンテンツを遅延部１９で遅延させる。
【００２７】
第２合成部２１は、制御部１３の指示に応じて、第２合成起動状態と、第２合成停止状態のいずれかで、高画質化映像コンテンツと副放送コンテンツのうち少なくとも高画質化映像コンテンツを処理する。具体的には、第２合成部２１は、第２合成起動状態では、画面表示設定が示すマルチ画面表示の形態に応じて高画質化映像コンテンツと副放送コンテンツを合成し、１系統の第２合成映像コンテンツとして出力する。また、第２合成部２１は、第２合成停止状態では、高画質化映像コンテンツのみを出力する。出力部２２は、第２合成部２１から出力された高画質化映像コンテンツ又は第２合成映像コンテンツを、表示パネル３０へ出力する。本実施形態では、第２合成部２１から出力される合成映像コンテンツの解像度（画素数）は、表示パネル３０の表示解像度と同じ解像度であるとする。
【００２８】
（表示制御処理）
このような構成をもつ本実施形態のテレビ受像機における表示制御処理について、図２に示すフローチャートをさらに用いて説明する。
まずＳ１００で、制御部１３は、ユーザ入力受信部１１を通じ、画面表示設定の変更要求が入力されたか判断する。なお、電源投入時などにおいては、Ｓ１００において、例えば不揮発性メモリ１２に保存された直前の画面表示設定を取得しても良い。
【００２９】
Ｓ１０１で制御部１３は、画面表示設定が、１系統表示（単一画面表示）設定か、２系統の放送コンテンツを表示する（マルチ画面表示）設定かを判断する。
ここで、１系統表示（単一画面表示）設定であると判断された場合、制御部１３は第１合成部１８を第１合成停止状態に、第２合成部２１を第２合成停止状態に切り替える。さらに制御部１３は、副放送受信部１５、副解像度変換部１７及び遅延部１９の動作を停止させる（Ｓ１０２）。また、制御部１３は、１系統表示に対応付けて予め定められた主解像度を主解像度変換部１６へ供給する。
【００３０】
主放送受信部１４は受信している放送信号１から視聴チャンネル設定に従って１つの放送コンテンツを分離、復号し、主放送コンテンツとして主解像度変換部１６へ出力する。また、主放送受信部１４は、主放送コンテンツの解像度を判別し、主解像度変換部１６へ合わせて出力する。主解像度変換部１６は入力された主放送コンテンツの解像度を主解像度に変換し、第１合成部１８へ出力する。この際、第１合成部１８は第１合成停止状態に切り替えられているため、入力された主放送コンテンツをそのまま高画質化処理部２０へ出力する。高画質化処理部２０は、表示画質設定に従って主放送コンテンツに高画質化処理を適用し、高画質化映像コンテンツを第２合成部２１へ出力する。第２合成部２１は第２合成停止状態に切り替えられているため、入力された高画質化映像コンテンツをそのまま出力部２２へ出力する。出力部２２は入力された高画質化映像コンテンツ（主放送コンテンツ）を表示パネル３０に表示する。
【００３１】
一方、Ｓ１０２において、画面表示設定が２系統表示（マルチ画面表示）設定であると判断された場合、Ｓ１０３において、制御部１３は、画面表示設定が示すマルチ画面表示の形態を判別する。上述の通り、本実施形態において制御部１３は、マルチ画面表示の形態がピクチャアンドピクチャ表示の表示形態なのかピクチャインピクチャ表示なのかを判断する。
【００３２】
ここで、マルチ画面表示の表示形態として、ピクチャアンドピクチャ表示が設定された場合を考える。この場合、制御部１３は、例えばリモートコントローラ２から、ピクチャアンドピクチャ表示を示す画面表示設定がなされると、第１合成部１８を第１合成起動状態に、第２合成部２１を第２合成停止状態に切り替える。また、制御部１３は、ピクチャアンドピクチャ表示に対応付けて予め定められている主解像度及び副解像度を、例えば不揮発性メモリ１２から読み出し、主解像度変換部１６及び副解像度変換部１７に供給する。
【００３３】
主解像度変換部１６は主放送受信部１４から入力された主放送コンテンツを主解像度に、副解像度変換部１７は副放送受信部１５から入力された副放送コンテンツを副解像度にそれぞれ変換し、第１合成部１８へ出力する。第１合成部１８は第１合成起動状態に切り替えられているため、入力された主放送コンテンツと副放送コンテンツをピクチャアンドピクチャ表示の形式に合成し、１系統の第１合成映像コンテンツとして高画質化処理部２０へ出力する。一方、第１合成部１８は、遅延部１９には何も出力しない。
【００３４】
高画質化処理部２０は、制御部１３から供給される表示画質設定に従い、第１合成映像コンテンツに高画質化処理を適用し、高画質化映像コンテンツとして第２合成部２１へ出力する。第２合成部２１は第２合成停止状態に切り替えられているため、入力された高画質化映像コンテンツをそのまま出力部２２へ出力する。出力部２２は入力された高画質化映像コンテンツを表示パネル３０に表示する。
【００３５】
一方、Ｓ１０３において、マルチ画面表示の形態としてピクチャインピクチャ表示が選択された場合を考える。制御部１３は、例えばリモートコントローラ２からピクチャインピクチャ表示を示す画面表示設定がなされると、第１合成部１８を第１合成停止状態に、第２合成部２１を第２合成起動状態に切り替える。また、制御部１３はピクチャインピクチャ表示の表示形態に対応付けて予め定められている主解像度及び副解像度を、例えば不揮発性メモリ１２から読み出し、主解像度変換部１６及び副解像度変換部１７に供給する。
【００３６】
主解像度変換部１６は主放送受信部１４から入力された主放送コンテンツを主解像度に、副解像度変換部１７は副放送受信部１５から入力された副放送コンテンツを副解像度にそれぞれ変換し、第１合成部１８へ出力する。第１合成部１８は第１合成停止状態に切り替えられているため、入力された主放送コンテンツと副放送コンテンツを、そのまま高画質化処理部２０と遅延部１９にそれぞれ出力する。
【００３７】
高画質化処理部２０は、制御部１３から供給される表示画質設定に従い、主放送コンテンツに高画質化処理を適用し、高画質化映像コンテンツとして第２合成部２１へ出力する。また遅延部１９は、制御部１３から供給される遅延時間に従い、副放送コンテンツを、主放送コンテンツの高画質化処理に要する時間だけ遅延させて第２合成部２１へ出力する。第２合成部２１は第２合成起動状態に切り替えられているため、入力された高画質化映像コンテンツ（主放送コンテンツ）と遅延させられた副放送コンテンツをピクチャインピクチャ表示の形式に合成し、１系統の第２合成映像コンテンツとして出力部２２へ出力する。出力部２２は入力された第２合成映像コンテンツを表示パネル３０に表示する。
【００３８】
次に、ピクチャインピクチャ表示を行う際の、遅延部１９で行う遅延処理の１例を、図３を用いてさらに説明する。
本実施形態のように、２系統の放送コンテンツをマルチ画面表示する場合、一方の、主放送コンテンツにのみ高画質化処理を適用すると、主放送コンテンツは、高画質化処理されない副放送コンテンツに対し、高画質化処理に要した時間だけ表示が遅延する。少なくとも一方の映像コンテンツが蓄積コンテンツの場合は、高画質化処理に要する時間を考慮して映像コンテンツを読み出すことで、このような問題は解決できる。しかし、マルチ画面表示する映像コンテンツがいずれも放送コンテンツである場合には、２系統の放送コンテンツを同期表示するためには、高画質化処理がされないコンテンツに対して、遅延処理を適用する必要がある。
【００３９】
図３は、主放送コンテンツと副放送コンテンツにおける、１単位の表示に要する処理を示す。横軸は時間を表す。ここでいう１単位とは、表示制御部１０がコンテンツを表示パネル３０に表示する際の映像コンテンツの最小単位を指し、例えば１画像フレームであってよい。
【００４０】
時刻ｔ０において、表示制御部１０は、放送信号１を受信し、主放送受信部１４と副放送受信部１５は復号処理を開始する。その後、時刻ｔ１において、主放送受信部１４は主放送コンテンツにおける１単位、副放送受信部１５は副放送コンテンツにおける１単位の復号をそれぞれ完了し、主放送コンテンツは主解像度変換部１６、副放送コンテンツは副解像度変換部１７へ伝送される。
【００４１】
その後、時刻ｔ２において、主放送コンテンツは主解像度変換部１６での解像度変換処理を完了し、高画質化処理部２０に伝送され、副放送コンテンツは、副解像度変換部１７での解像度変換処理を完了し、遅延部１９へ伝送される。
【００４２】
時刻ｔ３において、主放送コンテンツは高画質化処理部２０での高画質化処理を完了し、第２合成部２１へ伝送される。副放送コンテンツも、遅延部１９から第２合成部２１へ伝送されるが、前述の２系統の放送コンテンツを同期表示する際の問題が生じるため、副放送コンテンツは、時刻ｔ２から時刻ｔ３の時間を、遅延部１９で遅延させる。これにより２系統の放送コンテンツの同期表示を可能とする。遅延部１９での遅延時間は、例えば高画質化処理部２０に入力される、主放送コンテンツの主解像度と表示画質設定によって算出され、制御部１３から供給される。
【００４３】
その後、時刻ｔ５において、第２合成部２１での合成処理、出力部２２での出力処理を完了し、主放送コンテンツと副放送コンテンツをマルチ画面表示できるように合成した第２合成映像コンテンツを、表示パネル３０に伝送し表示する。
【００４４】
なお、高画質化処理以外にも、映像コンテンツの入力解像度と表示解像度に応じて解像度変換処理にかかる時間などにも差が生じることがある。この場合、遅延部１９での遅延時間を、高画質化処理のみの所要時間ではなく、第２合成部２１に入力される前の処理時間の差を無くすような時間に設定すればよい。
【００４５】
なお、本実施形態では２系統の放送コンテンツのマルチ画面表示における処理について記述したが、１系統を主映像コンテンツ、残りの複数系統を副映像コンテンツとして取り扱うことにより、３系統以上の映像コンテンツが入力される場合にも対応できる。この場合、副解像度変換部１７を副映像コンテンツの系統数分設ける。第１合成部１８において、副映像コンテンツを１系統に合成すれば、遅延部１９は１つのままで良い。また、第１合成部が副映像コンテンツをそのまま出力する構成の場合、遅延部１９を副映像コンテンツと同数設ける。
【００４６】
（変形例）
なお、図１において、表示制御部１０は１つの機能ブロックとして説明したが、複数のハードウェアで実現することもできる。図５に、表示制御部１０と同等の機能を、個別の半導体集積回路である放送受信ＬＳＩ４０と高画質化ＬＳＩ５０とで実現する構成する例を示す。ここでは、放送受信ＬＳＩ４０は、実施形態で説明したユーザ入力受信部１１、主放送受信部１４、副放送受信部１５、主解像度変換部１６、副解像度変換部１７、第一合成部１８を含む。高画質化ＬＳＩ５０は、実施形態で説明した遅延部１９、高画質化処理部２０、第二合成部２１、出力部２２を含む。さらに、放送受信ＬＳＩ４０は第１制御部２３と第１不揮発性メモリ２４とを有し、高画質化ＬＳＩ５０は第２制御部２５と第２不揮発性メモリ２６とを有する。第１不揮発性メモリ２４は、テレビ受像機１００の動作に必要な各種設定や、第１制御部２３が実行するプログラム等を記憶する。第１不揮発性メモリ２４が記憶する各種設定としては、例えば視聴チャンネル設定を始め、複数の映像コンテンツのマルチ画面表示に関する設定が含まれる。マルチ画面表示に関する設定には、主解像度設定、副解像度設定、マルチ画面表示の形態の設定である画面表示設定等が含まれる。第２不揮発性メモリ２６は、第２制御部２５が実行するプログラムや、高画質化ＬＳＩ５０の動作に必要な各種設定等を記憶する。第２不揮発性メモリ２６が記憶する各種設定としては、例えば表示画質設定や遅延時間の設定等が含まれる。第１制御部２３と第２制御部２５は、例えばＣＰＵ、ＲＯＭ、ＲＡＭを有し、ＲＡＭを用いてそれぞれＲＯＭや第１不揮発性メモリ２４、第２不揮発性メモリ２６に記憶されたプログラムを実行して放送受信ＬＳＩ４０と高画質化ＬＳＩ５０の各部を制御する。また、第１制御部２３と第２制御部２５とは相互通信手段を有し、互いの動作を第１不揮発性メモリ２４に記憶されている画面表示設定に従い制御することにより、実施形態の不揮発性メモリ１２と制御部１３の処理と同様の処理を実現する。具体的な動作は以下に示すが、実施形態と同一の構成ブロックついては詳細な説明は省略する。
【００４７】
第１制御部２３は、画面表示設定が１系統表示（単一画面表示）設定か２系統の放送コンテンツを表示する（マルチ画面表示）設定かを判断する。
ここで、１系統表示（単一画面表示）設定であると判断された場合、第１制御部２３は第２制御部に画面表示設定が１系統表示であることを伝え、第１合成部１８を第１合成停止状態に切り替え、副放送受信部１５、副解像度変換部１７の動作を停止させる。また、第１制御部２３は１系統表示に対応付けて予め定められた主解像度を主解像度変換部１６へ供給する。第２制御部は１系統表示設定の指示を受け、第２合成部を第２合成停止状態に切り替え、遅延部１９の動作を停止させる。
【００４８】
また、画面表示設定が２系統表示（マルチ画面表示）設定でると判断された場合、第１制御部２３は画面表示設定が示すマルチ画面表示の形態を判別する。本変形例においても第１制御部２３は、マルチ画面表示の形態がピクチャアンドピクチャ表示形態なのかピクチャインピクチャ表示形態なのかを判断する。
【００４９】
マルチ画面表示の表示形態として、ピクチャアンドピクチャ表示が設定された場合を考える。第１制御部２３は第２制御部２５に画面表示設定がピクチャアンドピクチャ表示であることを伝え、第１合成部１８を第１合成起動状態に切り替える。また、第１制御部２３はピクチャアンドピクチャ表示の表示形態に対応付けられて予め定められている主解像度及び副解像度を、例えば第１不揮発性メモリ２４から読み出し、主解像度変換部１６及び副解像度変換部１７に供給する。第２制御部２５はピクチャアンドピクチャ表示の指示を受け、第２合成部２１を第２合成停止状態に切り替える。
【００５０】
また、マルチ画面表示の表示形態として、ピクチャインピクチャ表示が設定された場合を考える。第１制御部２３は第２制御部２５に画面表示設定がピクチャインピクチャ表示であることを伝え、第１合成部１８を第１合成停止状態に切り替える。また、第１制御部２３はピクチャインピクチャ表示の表示形態に対応付けて予め定められている主解像度及び副解像度を、例えば第１不揮発性メモリ２４から読み出し、主解像度変換部１６及び副解像度変換部１７に供給する。第２制御部２５はピクチャインピクチャ表示の指示を受け、第２合成部２１を第２合成起動状態に切り替える。
【００５１】
一般的なテレビ受像機は、放送受信ＬＳＩ４０のような放送信号１を受信・復号化する機能や、映像コンテンツの解像度変換処理機能や、複数の映像コンテンツをマルチ画面表示するための合成機能を有する放送受信ＬＳＩを備えている。従って、一般的なテレビ受像機において高画質化した映像コンテンツを出力するには、放送受信ＬＳＩが出力する映像コンテンツに対して高画質化処理を適用することになる。本変形例は、このような放送受信ＬＳＩを備える一般的なテレビ受像機に本発明を適用するために、合成処理回路を備えた高画質化ＬＳＩ５０を導入した場合を想定している。
【００５２】
以上説明したように、本実施形態の表示制御装置は、複数系統の入力映像コンテンツを１系統に合成可能な第１及び第２合成部と、それらの間に設けられ、１系統の映像コンテンツに高画質化処理を行う高画質化処理部とを有する。そして、このような表示制御装置において、複数系統の放送コンテンツをマルチ画面表示する場合、表示形態に応じて第１合成部で合成を行うか、第２合成部で合成を行うかを切り替える。具体的には、表示画面に重なりがない表示形態では高画質化処理部の前段にある第１合成部で合成してから高画質化処理を行うことで、２系統の放送コンテンツの両方に高画質化処理を適用することができる。また、表示画面に重なりがある表示形態では第１合成部で合成してから高画質化処理を行うと、表示領域の境界部分での周波数成分の不連続性により高画質化処理の効果が適切に得られないため、高画質化処理部の後段にある第２合成部で合成を行う。これにより、少なくとも主放送コンテンツにおいては高画質化処理の効果を十分に享受できる。
【００５３】
さらに、副放送コンテンツを遅延する遅延部を設けることにより、高画質化処理が適用される主放送コンテンツとの表示の時間的ずれを解消し、２系統の放送コンテンツを同期させてマルチ画面表示できる。
【図１】
2011030026.tif 000003
【図２】
2011030026.tif 000004
【図３】
2011030026.tif 000005
【図４】
2011030026.tif 000006
【図５】
2011030026.tif 000007